(57)【要約】リモートコントロール装置（３１０）は、インターネット上のＵＲＬへのアクセスを取得するためのボタン（３５０）を持つ。実施例において、リモートコントロール装置（３１０）は、インターネットからコンテンツを所得するようにプログラミング可能なユーザインタフェースを有する。特定の適用においては、リモートコントロール装置（３１０）は、ネットワーク（３３０）に接続されたセットトップボックス（３２０）を有するシステムの一部となる。リモートコントロール装置（３１０）は、所定のＵＲＬを保存するセットトップボックス（３２０）と結合される。ユーザは前記リモートコントロール装置上のショートカットキーを作動させることにより、前記所定のＵＲＬを取得しても良い。該ＵＲＬはユーザによって又はユーザプロファイルに応じてサードパーティによってプログラムされても良い。
2004520784.tif 000002
【特許請求の範囲】
【請求項１】
ユーザがデータネットワークから電子化文書の取得を開始できるようにするためのユーザインタフェースを有し、前記文書のＵＲＬに関してプログラミング可能であるリモートコントロール装置。
【請求項２】
前記ユーザインタフェースは、前記取得を開始するためのボタンを有する、請求項１に記載のリモートコントロール装置。
【請求項３】
前記プログラミングは、聴覚、視覚及び触覚のうち少なくともひとつの感覚種を有するフィードバック機構によって確認可能な、請求項１に記載のリモートコントロール装置。
【請求項４】
データネットワークへのアクセスのためのデータ処理システムであって、
ネットワークアクセスを持つ機器と、
ユーザによる作動に際して、前記装置を介し所定のＵＲＬを用いて前記ネットワーク上の文書へのアクセスを開始するためのリモートコントロール装置と、
を有し、前記機器は前記所定のＵＲＬを保存し、前記機器は前記所定のＵＲＬに関してプログラミング可能であるシステム。
【請求項５】
前記所定のＵＲＬは、ＳＴＢとのユーザによる対話及び前記ＳＴＢとのサードパーティによる対話のうちの、少なくとも１つによってプログラムされる、請求項４に記載のシステム。
【請求項６】
前記サードパーティによる対話はユーザプロファイルに基づくものである、請求項５に記載のシステム。
【請求項７】
少なくともリモートコントロール装置又はデータネットワークアクセス装置に実装されるためのソフトウェアであって、ショートカットキーを用いて少なくとも１つのプログラミング可能であるＵＲＬを選択するために前記装置を動作させるソフトウェア。
【請求項８】
クライアント／サーバ構成において提供されるサービスであって、
前記サーバは情報の項目のリストへのユーザアクセスを提供し、
前記クライアントは、前記サーバと対話し選択を為すことができ、前記選択は、クライアントインタフェースの少なくとも１つのボタンにプログラミング可能であり、前記クライアントインタフェースは、
前記サーバへのネットワークアクセスと、
ユーザによる作動に際して、前記サーバを介し所定のＵＲＬを用いて前記ネットワーク上の文書へのアクセスを開始するようにプログラミング可能な、少なくとも１つのボタンとを有し、前記サーバは前記所定のＵＲＬを保存するサービス。
【請求項９】
データネットワークへのアクセスを持つリモートコントロール装置であって、前記リモートコントロール装置は、ＵＲＬを介して前記データネットワーク上の文書を取得するように装置に命令するようにプログラミング可能なユーザインタフェースを持つ、リモートコントロール装置。
【請求項１０】
データネットワークにリンクされた装置であって、前記装置は、ユーザインタフェースを持つリモートコントロール装置からのコマンドの受信に際して、ＵＲＬを介して前記データネットワークから文書を取得するようにプログラミング可能な装置。
【発明の詳細な説明】
【０００１】
【発明の属する技術分野】
本発明は一般的にはコンテンツ情報の取得に向けたものである。詳細には、本発明はＵＲＬ（Ｕｎｉｆｏｒｍ Ｒｅｓｏｕｒｃｅ Ｌｏｃａｔｏｒ）を介したネットワークを通じたコンテンツを選択する方法に関する。
【０００２】
【従来の技術】
ユーザにとって利用可能な大量の情報と対話（ｉｎｔｅｒａｃｔ）できることは課題を生じさせる。本及び新聞のような印刷された情報源、ＣＤ、ＤＶＤ及び磁気ディスクのような物理的な電子メディア、インターネットに基づくコンテンツのようなネットワークに基づくメディア、放送ラジオ及びテレビジョンのような無線メディア、並びに電話のような有線／無線通信装置から情報を取得することは稀なことではない。これらメディアの各々は、ユーザが情報を抽出する個々の方法を持つ。異なるメディアの形式と対話する課題に対処するための努力は、Ｙｅｖｇｅｎｉｙ Ｅ． Ｓｈｔｅｙｎらの「Ｅｌｅｃｔｒｏｎｉｃ Ｃｏｎｔｅｎｔ Ｇｕｉｄｅ Ｒｅｎｄｅｒｓ Ｃｏｎｔｅｎｔ Ｒｅｓｏｕｒｃｅｓ Ｔｒａｎｓｐａｒｅｎｔ」と題された、２０００年５月１１日出願の米国特許出願第０９／５６８，９３２（整理番号ＵＳ０００１０６）において見出される。ここで本文献は参照によって本明細書に組み込まれたものとする。
【０００３】
【発明が解決しようとする課題】
例えば、新聞を読むことは単純明快である。インターネットから放送される同一の新聞を読むことは、ブラウザにおいてＵＲＬ（Ｕｎｉｆｏｒｍ Ｒｅｓｏｕｒｃｅ Ｌｏｃａｔｏｒ）を探し、内容をダウンロードすることを含む。しばしばＵＲＬは非常に長く覚えにくい。１つのキーを押し間違えると、ユーザは特定の新聞を検索することに失敗する。勿論、検索エンジンはユーザが前記新聞のウェブアドレスを検索することを可能にする。しかしながら、しばしば時間とフラストレーションとが不要に費やされる。
【０００４】
このことは、ユーザがエンターテイメントのコンテキスト（ｃｏｎｔｅｘｔ）から情報を得る場合には、特に当てはまる。情報は種々の情報源から来る。ユーザは情報を音響／映像モニタにおいて見る又は聞く場合もある。前記モニタは、ＣＤプレイヤー、ＤＶＤプレイヤー、ケーブル又は衛星セットトップボックス（ＳＴＢ）、放送テレビジョン受信器、及びインターネット接続を備えるモデムといった、種々の情報源にそれぞれ結合されている。リモートコントロール装置の形のユーザインタフェース装置は、よく知られた形式によって最初の４つの例示した装置へのアクセスを提供する。しかしながら、インターネットのコンテンツのＵＲＬはそれ程知られたものではなく、それ故前記ＵＲＬに関連するコンテンツはアクセスできない。
【０００５】
【課題を解決するための手段】
リモートコントロールによってＵＲＬを追跡するニーズがある。ユーザは、該ユーザの他の家庭用機器の装置で従来行っていたように、前記ＵＲＬのコンテンツ情報、又は前記ＵＲＬによって表わされるウェブサイトへのアクセスを取得するために、単に該ユーザのリモートコントローラ上のボタンを選択するか、又は他のユーザ入力を起動するだけで良い。
【０００６】
本発明は多くの実施化において例示される。そのうち２つを以下に要約する。本発明のリモートコントロール装置は、インターネットからコンテンツを取得するためにプログラミング可能なユーザインタフェースを有する。例えばリモートコントローラ上のボタンのような前記ユーザインタフェースは、少なくとも１つのＵＲＬへのアクセスを取得するためにプログラムされる。前記リモートコントロール装置の付加的な特徴は、前記ボタンのプログラミングが、音響、映像又は触知刺激を有するフィードバック機構によって確認されても良いということである。
【０００７】
他の実施例においては、リモートコントロールシステムは、例えばＳＴＢを介してインターネット又は他のデータネットワークへアクセスする。前記システムは、所定のＵＲＬを探し出すためにユーザによってプログラミング可能な少なくとも１つのボタンを持つリモートコントロール装置を有する。前記リモートコントロール装置は前記ＳＴＢと通信する。前記ＳＴＢは所定のＵＲＬを、例えばルックアップテーブル（ＬＵＴ）に保持する。前記ＬＵＴは、前記リモートコントローラからのコマンド及び該コマンドのボタンとの関連を入力として利用する。前記ＬＵＴは出力、即ち前記所定のＵＲＬを持つ。本実施例の他の特徴は、前記所定のＵＲＬが、ユーザによる前記ＳＴＢとの対話によって、又は例えばサービスプロバイダ若しくはネットワークからのサードパーティによる前記ＳＴＢとの対話によってプログラム又は再プログラムされるということである。かようなサードパーティによる対話はユーザプロファイルに応じるものであっても良い。
【０００８】
従って、インターネットアクセス及びブラウザを備えるリモートコントローラ又は装置は、好ましくはユーザによって再プログラムできる。このことはユーザが単に前記リモートコントローラ上のボタンを押すことによってウェブサイトにアクセスできるようにする。
【０００９】
上述の本発明の要約は開示される本発明の各実施例、又は全態様を表現することを意図していない。他の態様及び実施例は以下の図面及び詳細な説明において提供される。
【００１０】
本発明は、添付する図面と関連する以下の本発明の種々の実施例の詳細な説明を考慮して、より完全に理解されるであろう。
【００１１】
本発明は様々な変更及び代替の形式が可能であるが、特定の実施例は図における例として示され、ここで詳細に説明されるであろう。
【００１２】
【発明の実施の形態】
本発明はウェブサイトへのアクセスを取得する簡単化された方法の提供に関して有用及び有利であることが見出されている。実施例において、本発明は前記セットトップボックスのソフトウェアへのアクセスを持つ、セットトップボックスのエンドユーザ又は団体が、リモートコントローラの１つのボタン又は幾つかのボタンを割り当てることを可能にする。これらのボタンは、チャネル又はＵＲＬを選択するために定義される。これらのボタンは、前記セットトップボックスのソフトウェアを介して予め定義され、後に前記セットトップボックスのソフトウェアへのアクセスを持つエンドユーザ又は団体によって再定義されても良い。
【００１３】
本発明による実施例においては、前記セットトップボックス及びしばしば他の音響／映像機器を制御するために利用されるリモートコントローラは、専用のボタン及び該リモートコントローラが前記セットトップボックスに送信する通信コマンドを持つ。前記セットトップボックス内には、送信されるコマンドを前記セットトップボックスの状態における変化へと割り当てる、ソフトウェアテーブル（ルックアップテーブル）がある。
【００１４】
上述の動作は、チャネル又はＵＲＬへのアクセスを直接取得することを含む他の動作の前記テーブルへの保存を可能にする、前記セットトップボックスのソフトウェアへのアクセスを持つエンドユーザによって再定義されても良い。
【００１５】
前記ルックアップテーブル中の情報の変化は、本発明による他の実施例において達成される。前記ユーザは前記セットトップボックスを所望の状態にする。前記ボックスは特定のチャネルに同調される又は好ましいＵＲＬへと移動される。前記リモートコントローラからのコマンドを通して、前記セットトップボックスはこの状態変化の前記ルックアップテーブルへの保存を開始する。該状態変化は前記リモートコントローラのボタンと関連してプログラムされる。前記リモートコントローラ又は前記ＳＴＢは、保存されたＵＲＬによって定義されるような特定のウェブサイトへのアクセスを取得するためにプログラムされることができることに留意されたい。例えば、前記リモートコントローラは、ＵＲＬが前記ＳＴＢ中に再プログラミング可能に保存されたウェブサイトへのアクセスを取得する行動と解釈される、一定のコマンドを発行することができる。他の例においては、ＵＲＬ又はそれを表す情報は、前記リモートコントローラに保存される。後者の場合、前記リモートコントローラと前記ＳＴＢとの間の双方向のリンクが必要である。後に前記リモートコントローラのボタンが押下されたとき、前記セットトップボックスは現在前記ルックアップテーブルに保存された所望の状態へと戻る。
【００１６】
特定の実施例においては、本発明はＳＴＢ及びリモートコントロール装置に関する。前記リモートコントロール装置は、前記ＳＴＢに特定のウェブアドレスからウェブページを取得させる特定のボタンを持つ。前記ウェブアドレスは、例えばユーザによってプログラミング可能又は再プログラミング可能である。前記ＳＴＢは、前記リモートコントローラのコマンドをユーザによって定義されたウェブアドレスに割り当てる、前記ボタンの下に保存されたルックアップテーブルを保持する。前記定義されたウェブアドレスは、前記ＳＴＢとの単純なユーザによる対話を通してプログラム又は再プログラムされる。代替としては、例えばユーザプロファイルに基づく付加価値サービスとして、前記ＳＴＢを介してサードパーティが前記ルックアップテーブルを予め定義又は再プログラムすることができる。サードパーティは、テレビ番組のコンテキスト内の補足情報（例えばｅ−コマースのコンテキストにおける広告）へのアクセスをユーザに与えるために、消費者によって現在受信されている前記テレビ番組に依存して、動的に前記ルックアップテーブルを再プログラムすることができる。前記補足情報は、例えば前記リモートコントローラ、前記ユーザのＰＣ又は他の適切なレンダリング装置を介して前記ユーザに送信される。代替としては、１以上のボタンが、最も頻繁に利用されるＵＲＬに対して自動的にプログラムされる。
【００１７】
前記リモートコントロール装置は、例えばＰｈｉｌｉｐｓ Ｅｌｅｃｔｒｏｎｉｃｓ社によって製造されたＰＲＯＮＴＯ（ＴＭ）を有する。ＰＲＯＮＴＯ（ＴＭ）は、ＬＣＤのタッチスクリーンを備える汎用のプログラミング可能なリモートコントローラである。ユーザは、異なるページに割り当てられたアイコンとして制御機能を組織化するために、ＰＲＯＮＴＯ（ＴＭ）のグラフィカルユーザインタフェース（ＧＵＩ）をプログラムすることができる。前記アイコンはＩＲ又はＲＦコマンドの、ＩＲ又はＲＦ制御可能な機器への送信を開始するためのボタンとして働く。例えば１以上の特定の電子文書をデータネットワークから取得するためにＳＴＢを制御するコマンドのために、１以上のアイコンが予約されることができる。前記コマンドは前記文書のＵＲＬを表すデータを含んでも良い。例えば前記コマンドは、前記コマンド中のデータをＵＲＬとして処理するために前記ＳＴＢによって解釈される、ＸＭＬにおけるタグを有する。
【００１８】
図１を参照されたい。ステップ群１００はリモートコントローラの所望の状態を定義する手順を概説する。ユーザは前記ＳＴＢにおける所望の状態を設定する（１１０）。前記ユーザは前記リモートコントローラに、前記所望の状態を保存するように前記ＳＴＢに命令させる（１２０）。前記所望の状態は前記リモートコントローラのショートカットボタンにプログラムされる（１３０）。
【００１９】
他の実施例においては、前記セットトップボックスを介した企業（しばしばサービスを提供する）がネットワーク接続を介してアクセスする。前記ネットワーク接続を通して、前記企業は、特定の状態変化命令を新たな特定の状態変化命令へと置き換えて前記ルックアップテーブルを変更する。他の方法が前記ルックアップテーブルを更新するために利用されても良い。
【００２０】
ここで参照によって本明細書に組み込まれるものは以下の文献である：
【００２１】
Ｋｒｉｓｔｅｎ Ｄ． Ｏｎｄｅｃｋの「Ａｆｔｅｒ Ｓａｌｅｓ Ｃｕｓｔｏｍｉｚａｔｉｏｎ ｓｐｅｃｉｆｉｅｄ ｂｙ Ｒｅｔａｉｌｅｒ Ａｃｔｓ ａｓ Ｉｎｃｅｎｔｉｖｅ」と題された、１９９９年７月８日出願の米国特許出願シリアル番号０９／３４９，６７６（整理番号ＰＨＡ２３，６８１）。本文献は、商用活動を鼓舞することができる、機械により実装されたビジネスを行う方法に関する。この方法によれば、顧客は例えば製造業者、輸入業者、配達業者又は専門のサービスプロバイダのような特定の団体に、該顧客が関わっている特定の商用活動を通知することが可能になる。通知されるとすぐに前記団体は、インターネットのようなデータネットワークを介して、前記商用活動と関連して前記顧客の機器をカスタマイズすることを可能とする。例えば、特定の活動は小売業者を介した商品の販売に関連し、前記顧客は特定の団体に前記小売業者からの前記商品の購入を通知する。前記団体が通知された場合、該団体はインターネットを介して、前記顧客のインターネット利用可能な又はアップグレード可能な電子機器を、前記商品が購入された特定の前記小売業者と関連してカスタマイズすることを可能とする。例えば、前記商品はインターネットに関連するものであり（ソフトウェアアプリケーション又はハードウェア装置）、前記顧客は該顧客のインターネット利用可能な機器の一部とするために該商品を購入した。前記商品は、好ましくは前記小売業者からの仕様に従って、また例えば前記顧客によって供給された意図された仕様法についての入力に従って、前記特定の団体が通知されたときに、インターネットを介してカスタマイズされることができる。
【００２２】
Ｅｒｉｋ Ｅｋｋｅｌらの「ＰＥＲＳＯＮＡＬＩＺＩＮＧ ＣＥ ＥＱＵＩＰＭＥＮＴ ＣＯＮＦＩＧＵＲＡＴＩＯＮ ＡＴ ＳＥＲＶＥＲ ＶＩＡ ＷＥＢ−ＥＮＡＢＬＥＤ ＤＥＶＩＣＥ」と題された２０００年３月６日出願の米国特許出願シリアル番号０９／５１９，５４６（整理番号ＵＳ００００１４）。本文献は、インターネット上のアプリケーションサーバの構成を委任することによる、消費者によるＣＥ機器の構成の容易化に関する。消費者は、ＰＣ、セットトップボックス又はデジタル携帯電話のような適切なインターネット利用可能装置のユーザインタフェースを通して、特定のインタラクティブなウェブページに該消費者の好みを入力する。前記アプリケーションサーバは入力された好みに基づき制御データを生成し、前記制御データを前記ＣＥ機器自身又は前記インターネット利用可能な装置にダウンロードする。
【００２３】
Ｅｕｇｅｎｅ Ｓｈｔｅｙｎの「ＴＯＰＩＣＡＬ ＳＥＲＶＩＣＥ ＰＲＯＶＩＤＥＳ ＣＯＮＴＥＸＴ ＩＮＦＯＲＭＡＴＩＯＮ ＦＯＲ Ａ ＨＯＭＥ ＮＥＴＷＯＲＫ」と題された、２０００年８月１０日出願の米国特許出願シリアル番号０９／６３５，５４９（整理番号ＵＳ０００２０９）。本文献は、話題の（ｔｏｐｉｃａｌ）サーバへのユーザインタフェースの直感的な構成部分とされる消費者装置に関する。ホームネットワーク上の該装置又は該装置のプロキシとの特定のユーザによる対話は、所定のＵＲＬに基づきインターネット上の特定のサーバに送られるべき要求を引き起こす。前記ホームネットワークは特定のウェブページを、前記装置を利用する状況に専用のコンテンツ情報と共に前記サーバから受信する。
【００２４】
Ｆｒａｎｋ Ｃａｒｉｓらの「ＳＴＢ ＣＯＮＮＥＣＴＳ ＲＥＭＯＴＥ ＴＯ ＷＥＢＳＩＴＥ ＦＯＲ ＣＵＳＴＯＭＩＺＥＤ ＣＯＤＥ ＤＯＷＮＬＯＡＤＳ」と題された、２０００年９月１日出願の米国特許出願シリアル番号０９／６５３，７８４（整理番号ＵＳ０００２２０）。本特許文献は、プログラミング可能なリモートコントローラと共にするセットトップボックス（ＳＴＢ）の販売に関する。前記リモートコントローラはインターネット上の特定のサーバに前記ＳＴＢを接続するための専用のボタンを持つ。前記消費者は前記サーバに、前記消費者が前記ＳＴＢに付属していたものと同一のリモートコントローラを通して制御可能であることを所望する、前記消費者の他のＣＥ機器を通知することができる。前記サーバは関連する制御コードを表すデータを前記ＳＴＢにダウンロードする。前記ＳＴＢはこれらのコードを用いて前記リモートコントローラをプログラムする手段を備える。その返しに前記サーバは、該消費者の機器についての詳細かつ正確な情報を取得する。効率を上げるヘルプデスクの運用向けの、信頼性の高い顧客ベースがかくして構築される。
【００２５】
Ｔｈｏｍａｓ Ｄｕｂｉｌらの「ＣＯＮＴＲＯＬ ＣＯＤＥＳ ＦＯＲ ＰＲＯＧＲＡＭＭＡＢＬＥ ＲＥＭＯＴＥ ＳＵＰＰＬＩＥＤ ＩＮ ＸＭＬ ＦＯＲＭＡＴ」と題された、２０００年１０月１０日出願の米国特許出願シリアル番号０９／６８６，５７２（整理番号ＵＳ０００１８３）。本発明文献は、制御コードを、プログラミング可能な汎用リモートコントローラにおける使用のために利用可能にするインターネットサービスに関する。前記リモートコントローラは、ＩＲ又はＲＦコマンドを通してＣＥ機器を制御する。サーバは、前記コントローラに適切にインストールされるために、受信器のセットトップボックス若しくはＰＣ、又は前記リモートコントローラ自身において処理されるＸＭＬデータとして前記制御コードを供給する。
【００２６】
図２を参照されたい。本発明による他の実施例においては、ベンダは前記リモートコントローラのショートカットキーをプログラムする処理（２００）を開始する。前記ベンダは前記ＳＴＢを所望の状態に設定する（２１０）。例えば、該状態とはテレビのチャネル又はＵＲＬである。前記所望の状態はＳＴＢのソフトウェアテーブルの位置にプログラムされる（２２０）。前記ソフトウェアテーブルの位置は、前記リモートコントローラのショートカットキーに対応する（２３０）。該ショートカットキーは、ブラウザの「ホーム」ボタンに類似する所定のキーであっても良い。該キーが指す前記チャネルは、前記ユーザについて収集された情報、日時、エンターテイメント番組その他に基づきユーザを特定のチャネルに導こうとするベンダの希望によって決定される。
【００２７】
図１及び図２に概説されるプログラミング処理は、図３に示すように、本発明によってＳＴＢ及び対応するリモートコントローラ中に実施化されても良い。本例のリモートコントローラ３１０及びセットトップボックス３２０は、参照番号３７０において確立されたリンクを通じて互いに通信する。典型的に、かようなリンクは赤外線インタフェースである。しかしながら、他のインタフェースは無線送信又は有線送信を含んでも良い。リモートコントローラ３１０はセットトップボックス３２０を命令する。加えて、セットトップボックス３２０は、インターネット３３０を介して外の世界への接続３８０を持っても良い。接続３８０はケーブルテレビジョンプロバイダ又はインターネットサービスプロバイダ（ＩＳＰ）を通しても良い。セットトップボックス３２０内には、所望の状態（１２０）を保存するためにＳＴＢ３２０を命令するための前記リモートコントローラを利用することにより、ユーザが所望する状態（１１０）（又はベンダが所望する状態（２１０））を保存するルックアップテーブル３４０がある。本例のリモートコントローラ３１０においては、キー３５０及びキー３６０が、それぞれＵＲＬ１及びＵＲＬ２を保存するためにプログラミング可能である。ベンダは、インターネット３３０及び前記ＳＴＢの接続３８０を介して前記ＳＴＢへアクセスを得ても良い。ルックアップテーブル３４０はＵＲＬ１及びＵＲＬ２コマンドを保存する。これらのコマンドは列挙された動作に対応する。例えば、ＵＲＬ１は第１のウェブアドレスであり、ＵＲＬ２は第２のウェブアドレスである。ここで示された本例のリモートコントローラは２つのＵＲＬボタンを持つが、かようなリモートコントローラは任意の数のかようなボタンを持っても良い。これらのＵＲＬはローカル又はネットワークの記憶装置中のファイル名であっても良いことに留意されたい。例えば、前記ユーザは前記ＳＴＢのメモリ記憶装置内のローカルに保存された文書へのアクセスを得ても良い。前記ルックアップテーブル中の他のコマンド及び動作は、例えばケーブルテレビジョンネットワーク（ＣＡＴＶ）上に見出されるような特定のエンターテイメントチャネルであっても良い。
【００２８】
ＵＲＬ１ボタン３５０及びＵＲＬ２ボタン３６０のプログラミングが完了したとき、前記リモートコントローラは、フィードバック機構を用いて、前記ユーザに該プログラミングが成功したことを通知するように装備されても良い。例えば、前記ＵＲＬボタンは、ある色からプログラムされた状態を示す他の色へと変化するように点灯されても良い。前記リモートコントローラは成功したプログラミングを示す音を発しても良い。外部の雑音を持つ低輝度の環境においては、前記リモートコントローラは振動のような触知的な信号を提供するように装備されても良い。
【００２９】
本発明の状況におけるボタンは、前記リモートコントローラ自身の物理的ボタン、又はタッチスクリーンディスプレイを持つリモートコントローラのボタンの視覚的表現であっても良いことにも留意されたい。これらの視覚的表現は、空白を示す状態から、与えられたＵＲＬがプログラムされたことを示す状態への形を変化しても良い。例えば、前記ＵＲＬ又はエンターテイメントチャネルのトレードマークであるアイコンが表示されても良い。加えて、多数の設定を持つつまみが存在しても良い。例えば、本例のリモートコントローラにおけるＵＲＬ１及びＵＲＬ２ボタンが、ノブが選択するために回転される２つの設定であっても良い。
【００３０】
以上用いられた「インターネット」という語は、本発明の目的のため、例えばＡＯＬのような他のデータネットワークにも適用されても良い。
【００３１】
前記電子化文書は、前記データネットワークを介してエンドユーザに流されたファイルを有する。例えば、前記リモートコントロール装置を用いたユーザによる対話は、該ユーザの機器に例えばインターネット上のライブの音声放送を取得させる。そのとき前記リモートコントローラの前記ボタン又は他のユーザ入力は、インターネットの無線放送局を選択する選択機構として働く。
【００３２】
本発明の一態様は、前記エンドユーザのリモートコントローラにおけるブックマークとしてのＵＲＬの表示に存する。前記ＵＲＬは前記リモートコントローラ又はネットワークアクセスを備える装置に保存されても良い。（例えばインターネット音声番組又はインターネット画像番組といった）特定のサービスの提供という状況内においては、ローカルなソフトウェア又はリモートにあるサードパーティが、前記ＵＲＬを更新しても良い。この場合の前記ＵＲＬの動的な再プログラミングを用いて、例えばタイムスタンプ制御下において又はユーザによる対話に応じたリストを順に行うことによって、前記ユーザは自動的に前記電子化文書をブラウズすることができるようになる。
【００３３】
本発明は幾つかの特定の実施例を参照しながら説明されたが、当業者は請求項に明示された本発明の精神及び範囲から逸脱することなく、多くの変更が為され得ることを理解するであろう。
【図面の簡単な説明】
【図１】本発明の実施例による、所定のチャネルへのアクセスを取得するための、リモートコントローラの１以上のボタンのプログラミングにおけるユーザの手順を概説する図である。
【図２】リモートコントローラのショートカットキーをプログラミングするセットトップボックスのベンダの手順を概説する図である。
【図３】本発明の実施例による、リモートコントローラを介して制御可能なインターネットへのアクセスを備える装置のブロック図である。
【図１】
2004520784.tif 000003
【図２】
2004520784.tif 000004
【図３】
2004520784.tif 000005
【国際公開パンフレット】
2004520784.tif 000006
2004520784.tif 000007
2004520784.tif 000008
2004520784.tif 000009
2004520784.tif 000010
2004520784.tif 000011
2004520784.tif 000012
2004520784.tif 000013
2004520784.tif 000014
2004520784.tif 000015
2004520784.tif 000016
2004520784.tif 000017
2004520784.tif 000018
【国際調査報告】
2004520784.tif 000019
2004520784.tif 000020